(57)【要約】【課題】本発明は、広告灯や自動販売機の商品見本展示部や商品広告部などにおける、可動部なしで視覚的効果の大きい表示手段を提供するものである。【解決手段】表示面の図柄に用いられている表示色と光源からの照明色とを互いに補色の関係に設定し、色の補色関係による効果を利用することにより、従来にない視覚的効果を得ることができる。【選択図】　　　　図１
2004101626.tif 000002
【特許請求の範囲】
【請求項１】
複数の色を用いて描かれた図柄を持つ表示面と、前記表示面を照射する光源と、前記光源の光強度を制御し、かつ、設定した時間ごとに切り換える機能を持つ光源駆動部とを有することを特徴とする表示装置。
【請求項２】
前記光源は複数の光源から構成され、各々の光源に対する光源駆動部は独立に光強度を制御し、光源の発光色の混合により新たな照明色を生成する機能を持つことを特徴とする請求項１記載の表示装置。
【請求項３】
前記光源が生成する照明色は、前記表示面の図柄に使われている表示色に対して補色の関係であることを特徴とする請求項１または２記載の表示装置。
【請求項４】
前記光源が生成する２色以上の照明色は、それぞれ、前記表示面の図柄に使われている２色以上の表示色のいずれかに対して補色の関係であることを特徴とする請求項１から３の内いずれか１項記載の表示装置。
【請求項５】
自動販売機の商品見本展示部に適用されることを特徴とする請求項１から４の内いずれか１項記載の表示装置。
【請求項６】
自動販売機の商品広告部に適用されることを特徴とする請求項１から４の内いずれか１項記載の表示装置。
【発明の詳細な説明】
【０００１】
【発明の属する技術分野】
本発明は、広告灯や自動販売機の商品見本展示部や商品広告部などにおける、表示装置に関する。
【０００２】
【従来の技術】
従来、商品の見本や広告を表示させる装置において、アピールしたい個所に集中して照明するものがある（例えば、特許文献１参照）。また、可動部により表示部を物理的に移動させることによって、大きな表示効果を得るものもある（例えば、特許文献２参照）。
【０００３】
【特許文献１】
特開平８−５５２６８号公報（第２−３頁、図１）。
【０００４】
【特許文献２】
特開平５−４６８５７号公報（第２−６頁、図１）。
【０００５】
【発明が解決しようとする課題】
アピールしたい個所に集中して照明する表示装置においては、表示面を照射する照明色は通常１色であり、表示面の色との関係は考慮されておらず、視覚的効果は小さかった。表示部を物理的に移動させる表示装置は、視覚的効果が大きい反面、可動部を有するために高価であり、消費電力がかさみ、メンテナンスなどの経費も余分にかかる、という問題があった。
【０００６】
本発明は上記の点に鑑みなされたものであり、可動部なしで視覚的効果の大きい表示手段を提供することを課題とする。
【０００７】
【課題を解決するための手段】
本発明では、色の補色関係による視覚的効果を利用することにより、可動部なしで視覚的効果の大きい表示手段を提供する。表示面の図柄に用いられている表示色と光源からの照明色とを互いに補色の関係に設定し、このような表示色と照明色との補色の関係を２対以上用意する。照明色を表示色それぞれの補色に切換えて表示面を照明することによって、従来にない視覚的効果を得ることができる。２つの表示色をそれぞれの補色で交互に照明することにより、周囲から浮き出るように見える視覚的効果が得られる。
【０００８】
色を定量的に扱うため、ＪＩＳ　Ｚ８７０１に定義されている色度座標（ｘ，ｙ）を用いる。色度座標は、色の三原色であるＲＧＢ各々に対応したスペクトル三刺激純値Ｘ，Ｙ，Ｚを求め、ｘ＝Ｘ／（Ｘ＋Ｙ＋Ｚ），ｙ＝Ｙ／（Ｘ＋Ｙ＋Ｚ）と変換することにより、２次元の図（色度図）によって任意の色を表すものである。
色度図を図２に示す。横軸ｘ、縦軸ｙはそれぞれ色度座標である。色度座標系においては、（ｘ，ｙ）＝（０．６，０．３）付近が赤色を、（ｘ，ｙ）＝（０．１，０．８）付近が緑色を、（ｘ，ｙ）＝（０．２，０．０）付近が青色を、（ｘ，ｙ）＝（０．３，０．３）付近が白色を、それぞれ示す。色度図に２つの色度座標が異なる色をプロットすると、この２色を適当な比率で混合させることによって、２点を結ぶ線分上の色を作り出すことが可能である。さらに、３つの異なる色をプロットすると、この３色を適当な比率で混合させることによって、この３点の作る三角形の内部の色を、作り出すことができる。図２から、赤、緑、青の３色を選ぶことにより、人が認識可能な大部分の色をこの３色から作成できる。また、２色を混合させて白色を作ることができる場合、この２色は互いに補色の関係にある、という。補色の関係にある２色を組み合わせて表示すると、人の目に与える効果が大きくなる。
【０００９】
【発明の実施の形態】
以下、本発明の実施の形態を図面に示す実施例に基づいて説明する。
図１は、本発明の一実施例の構成を示す図、図３は、図１における表示色と照明色の関係を説明するための色度図である。なお、図３の色度座標の図で、図１に対応する色には同じ符号を付してその説明は省略する。図１の表示装置において、１０は表示面で、その表面には、例として、球状の物体１００の図柄が描かれている。球状の物体１００は、帯状の領域に分割され、それぞれ２色の表示色１０１、１０２に塗り分けられている。１１、１２、１３は光源であり、それぞれ赤、緑、青の発光ダイオード（ＬＥＤ）から成り、表示面１０を照明するように設置されている。２１、２２、２３は光源駆動部であり、それぞれＬＥＤ１１、１２、１３に対して独立に光量を調節でき、各色を混合させることにより、広い範囲の照明色度を可能としている。また、あらかじめ設定した時間ごとに照明色を切り換えることができる。
【００１０】
いま、表示色１０１を緑色（色度座標（０．３，０．５））、照明色２０１を赤紫色（色度座標（０．３，０．１））と選び、表示色１０１と照明色２０１とを色度座標にプロットすると、これらを結ぶ線分は色度座標（０．３，０．３）（白色の座標）付近を通る。図３に、この関係を示す。すなわち、表示色１０１と照明色２０１とは互いに補色の関係にあることがわかる。同様にして、表示色１０２を黄色（色度座標（０．５，０．５））、照明色２０２を緑青色（色度座標（０．２，０．２））と選ぶと、これらの色も互いに補色の関係にあることがわかる。このように、表示色と照明色とを互いに補色の関係に選定して、照明色２０１と２０２とで、適当な時間間隔で交互に切り換えて表示面を照明することにより、表示色の部分が浮き出るように見えたり、色の境界線の部分が動いているように見える効果が現れる。これは、表示色と照明色が、補色の関係にない場合に比べて視覚的な表示効果が大きくなるためである。
【００１１】
上述の例では、２色の表示色とそれぞれの補色の関係を利用した例を示したが、３色またはそれ以上の表示色がある場合についても、同じ考え方に基づいて、表示色と補色の関係にある照明色を選択して照明すれば、同様な視覚的効果を得られる。
表示色とその補色の照明色の組合せの数が３以上の場合には、表示色の配列や照明色の照明順序を適当に設定することにより、表示面の静止図柄があたかも動いているかのごとく見せることも可能であり、より印象の強い表示効果を得ることができる。
【００１２】
上述の例では光源としてＬＥＤを赤、青、緑につき各１個だけとしたが、光源として各色につき複数個のＬＥＤをアレイ状に配置した構成も可能である。また、光源としてＬＥＤ以外のランプを用いることも可能である。
本発明を自動販売機の商品見本展示部および商品広告部に適用した実施例を、図面を用いて説明する。図４は自動販売機の外観を示す図、図５は図４の自動販売機の内、商品見本展示部の細部を示す図、図６は図４の自動販売機の内、商品広告部の細部を示す図である。なお、図５、図６で、図１に対応する個所には同じ符号を付してその説明は省略する。
【００１３】
図４において、自動販売機５１の正面には、商品見本展示部５２と商品広告部５３が備え付けられており、付近の通行人に商品の購買をアピールする役割を持つ。商品見本展示部５２の細部は図５に示すとおりで、商品見本６１〜６６の上部に光源１１〜１３と、その光源駆動回路２１〜２３が設置され、光源による照射領域２０は、商品見本６１〜６６を覆っている。図１を用いて説明したのと同様に、商品見本６１〜６６で使われている表示色と補色の関係にある照明色を光源１１〜１３で生成し、適当な時間間隔で照明色を切り換えることにより、視覚的な表示効果が大きくなるため、通行人に与える印象が強く、購買意欲を増すことができる。商品広告部５３の細部は図６に示すとおりで、商品広告７１の上部に光源１１〜１３と、その光源駆動回路２１〜２３が設置され、光源による照射領域２０は、商品広告７１を覆っている。図１を用いて説明したのと同様に、商品広告７１で使われている表示色と補色の関係にある照明色を光源１１〜１３で生成し、適当な時間間隔で照明色を切り換えることにより、視覚的な表示効果が大きくなるため、通行人に与える印象が強く、購買意欲を増すことができる。
【００１４】
なお、この実施例では商品見本展示部と商品広告部の両方に本発明を適用しているが、どちらか一方のみの適用でも、効果があることはいうまでもない。また、１台の自動販売機に複数の商品見本展示部を設け、それぞれに本発明を適用する構成や、１台の自動販売機に複数の商品広告部を設け、それぞれに本発明を適用する構成も、可能である。
【００１５】
【発明の効果】
本発明によれば、図柄に用いられている表示色と補色の関係にある照明光を照射することにより、浮き立って見えたり、あたかも動いて見えるような視覚的な表示効果が得られる。従来に比べて、表示内容の視覚的効果の大きい表示装置を、可動部をなしで安価に構成することができる。
【図面の簡単な説明】
【図１】本発明による一実施例の構成を示す図
【図２】色度図
【図３】図１に示される本発明の実施例における表示色と照明色の関係を説明するための色度図
【図４】本発明を適用した自動販売機の外観を示す図
【図５】図４に示される自動販売機の商品見本展示部の細部を説明するための図
【図６】図４に示される自動販売機の商品広告部の細部を説明するための図
【符号の説明】
１０：表示面
１１〜１３：光源（ＬＥＤ）
２１〜２３：光源駆動回路
２０：光源による照射領域
５１：自動販売機
５２：商品見本展示部
５３：商品広告部
６１〜６６：商品見本
７１：商品広告
１００：表示面上の図柄
１０１〜１０２：表示面上の表示色
２０１〜２０２：光源による照明色
ｘ，ｙ：色度座標
【図１】
2004101626.tif 000003
【図２】
2004101626.tif 000004
【図３】
2004101626.tif 000005
【図４】
2004101626.tif 000006
【図５】
2004101626.tif 000007
【図６】
2004101626.tif 000008